(57)【要約】【課題】浮かせ浮、沈め浮として使用可能であって浮力を調整可能な浮。【解決手段】  浮を投げるためのウエイトを有する本体部５５と該本体部からほぼ水平に延長した当り浮部５６とから構成すると共に、複数の錘Ｗを着脱可能に取り付けて浮力を調整可能とする。錘は、本体部に凹孔５７若しくは凹溝を設けて、上記複数の錘Ｗを収容することにより浮力を調整可能とし、凹溝は封止栓５８により封止する。本体前端面はほぼ垂直から傾斜させて抵抗面Ｆとする。  錘Ｗの数量を変えることにより、浮かせ浮、沈め浮に変更し、また沈む早さを調整する。当たり浮部が細く抵抗がないため当たりが取り易く、また本体部の傾斜した端面により沈め浮として使用するとき、風を受けても道糸が引かれても下方に向く力が働くため浮き上がることがない。【選択図】図１
2009065929.tif 000002
【特許請求の範囲】
【請求項１】
浮を投げるためのウエイトを有する本体部と該本体部からほぼ水平に延長した当り浮部とから構成すると共に、複数の錘を着脱可能に取り付けて浮力を調整可能とし、
該本体部側に道糸を、当り浮部側にハリスを連結した仕掛けを接続するようにしたことを特徴とする多機能浮。
【請求項２】
上記本体部と当り浮部を別体として構成し、ワイヤなどの連結具により連結して水平に延長したことを特徴とする請求項1記載の多機能浮。
【請求項３】
上記本体部に凹孔若しくは凹溝を設けて、上記複数の錘を収容することにより浮力を調整可能としたことを特徴とする、請求項1又は２記載の多機能浮。
【請求項４】
上記本体部と当り浮部とを連結する連結具に錘を咬ませることにより浮力を調整可能としたことを特徴とする、請求項２記載の多機能浮。
【請求項５】
上記本体部の道糸との連結側端面をほぼ垂直な、または傾斜した抵抗面としたことを特徴とする請求項１〜４記載の多機能浮。
【請求項６】
上記道糸を上記本体部から当り浮部に連通する中通し孔を通して仕掛けを連結するようにしたことを特徴とする、請求項１〜５記載の多機能浮。
【発明の詳細な説明】
【技術分野】
【０００１】
本発明は、魚釣の浮（ウキ）に関し、特に海の磯廻りで釣を行う場合に潮廻りや風の影響などの状況に応じて水面に浮かせ、或いは水中での付けえさと共に沈降する沈め浮として使用可能な浮に関する。
【背景技術】
【０００２】
いわゆる、磯釣においてはコマセと称する撒き餌を行い、コマセに誘われた魚が集まり、餌をつけた釣針に食い付くことを狙うが、折角、魚がコマセに集まっても餌をつけた釣り針には中々食い付かないのが実情である。
その原因については、種々研究がされているが、魚はコマセに対してはその匂いに魅かれ、目ざとく見つけてよく食うのであるが、餌をつけた釣針をこれらのコマセの投入箇所に合わせて投入しても潮の流れや風などの影響を受けてその領域を外れてしまい、またその沈降速度や流れる速度はコマセとは同調していないのである。
魚は、これらの餌つき釣針のいわば不自然な動きを感知して、警戒し、敬遠するのである。
このため、これらの餌付き釣り針がコマセと共に自然に沈み、また潮の流れに伴って流れるコマセに同調して流れるように種々の工夫・提案がなされている。
【０００３】
例えば、楕円形浮に中通しに道糸を通して餌付き針をセットした仕掛けを接続し、仕掛けを中通しの浮を通していわゆる遊動式とすることにより、仕掛けがハリスに付けた軽い錘に引かれて水面に浮いた浮から自由に引き出されて沈むようにしたものがある。このようにすると、仕掛を投入するときには、浮下を短くして投入操作や竿の長さに合わせておき、投入後に道糸をその張り具合に応じて適宜に繰り出して調整することによって浮と仕掛けを潮に沿って自由に流し、同時に仕掛けを目的とする棚まで沈めることができる。
しかしながら、海辺では潮の流れと共に風が常に吹いており、浮とさお先の間の道糸に対して働く風圧は、仕掛けにつけた錘を引き戻す作用を齎し、一方、錘は餌付き針をコマセの沈む速さに合わせるため極く軽いものを使用しており、この風圧の影響を受けやすい。
また、浮はポイントに投入するためにある程度の重さが必要であるため、サイズも大きく、魚が針を咥えたときの抵抗が大きく、また浮に対する当りの変化が表れ難い。
このため、魚が針を咥えても抵抗が小さく、しかも当たりに敏感に反応する浮が望まれる。
【０００４】
図６は、そのような一例であって、浮かせて使用する浮であるが、ポイントに投入するためにある程度の重さが必要であるため、浮として重さのある飛ばし浮５と魚が餌付きの針を加えたことを感知するための、いわゆる当たり浮５２を道糸３で接続し、2つの浮を組合わせて使用する。
飛ばし浮の重さによってポイントに投入し、飛ばし浮と接続された軽い当たり浮５２に餌付き針を結んだハリスを接続しているので、魚が針をくわえて引くときの抵抗が小さく、また軽い当たり浮の反応が読みやすい。
しかしながら、この2つの浮を組合わせて当たり浮の位置を固定するため、浮下の深さは、仕掛けを扱う竿の長さにより制約され、また、ポイントに投入する際に当たり浮と飛ばし浮や仕掛けが相互に絡まりやすいという欠点がある。
【０００５】
また、浮をゆるやかに沈むようにして、その徐々に沈む作用により、仕掛けをコマセの沈む速さに合わせて沈めて魚の食いを誘うことが行われている。
図７に示す沈め浮は、そのような例であって、コマセの沈む早さに合わせて仕掛けを沈めることが容易となる利点があるが、強い風などの影響で道糸が引っ張られると浮は引き上げられて、浮き上がってしまい、自然な状態で仕掛けを沈めることができなくなり、また、魚が針を咥えたときの浮自体の抵抗が大きいため、魚がその抵抗を感知して折角咥えた針を放してしまうこととなる。
【０００６】
また、この方法による場合、コマセや仕掛けの種類などによって変わる重さや比重に合わせて、浮の沈降速度を調整する必要があり、その都度、予め用意した浮力の異なる浮を選んで取替えなければならない。
また、それでも潮流や風圧の影響で道糸が引かれると、それにつれて浮は上昇してしまい、スムーズな沈み具合を演出できない。
【０００７】
このように、浮かせ浮としても、沈み浮としても種々の課題があるが、さらに状況に応じてこれらの種類の使い分けをする必要があるため、一層複雑であり、また、そのためこれらの浮などの用具も多くの種類を用意することが必要となる。
【特許文献１】特開平１１−３４６６１７号公報
【特許文献２】特許第３０４６２８１号公報
【発明の開示】
【発明が解決しようとする課題】
【０００８】
解決しようとする問題点は、水面に浮かせる浮、或いは状況に応じて沈め浮として使用可能であり、水面に浮かせて使用するとき、潮の流れを風の影響に対して識別して道糸の繰り出し操作を正確に行うことが可能であり、針を咥えた魚に抵抗を与えずに当りを鋭敏に表す浮を提供し、また、沈め浮として餌を付けた仕掛けに合わせて沈む速度を調整可能であり、風をうけても浮きあがることなく円滑に仕掛けを沈めることができる浮を提供する。
【課題を解決するための手段】
【０００９】
本発明は、浮を投げるためのウエイトを有する本体部と該本体部からほぼ水平に延長した当り浮部とから構成すると共に、複数の錘を着脱可能に取り付けて浮力を調整可能とし、
該本体部側に道糸を、当り部側にハリスを連結した仕掛けを接続するようにした、ことを特徴とする多機能浮であり、上記本体部と当り浮部を別体として構成し、ワイヤなどの連結具により連結して水平に延長し、
上記本体部に凹孔若しくは凹溝を設けて、上記複数の錘を収容することにより浮力を調整可能とする。
また、上記本体部と当り浮部とを連結する連結具に錘を咬ませることにより浮力を調整可能とし、
上記本体部の道糸との連結側端面をほぼ垂直な、または傾斜した抵抗面とし、さらに
上記道糸を上記本体部から当り浮部に連通する中通し孔を通して仕掛けを連結するようにしたことを特徴とする。
【発明の効果】
【００１０】
本発明の多機能浮子は、
複数の錘を着脱可能としたことにより、浮かせ浮、或いは沈め浮として使用可能であり、さらに沈め浮として使用する場合などにその浮力を調整して仕掛けの沈む速さを調整することができ、
仕掛けの投入操作に必要な重さをウエイトのある本体部に持たせると共に、本体部から延長して軽い当り浮部を形成して、本体部側を道糸側、当り浮部側を仕掛け側として連結することにより、魚が針を咥えた時の抵抗を低減すると共にその当りを軽量な当り浮部により感知せしめることができる。
また、本体部に錘収容孔又は収容凹溝を設けて複数の錘を着脱可能に収容することにより、容易に浮力を調整することができ、本体部と当り浮部とをワイヤなどの連結部で連結した場合、噛み潰し型の錘を咬ませることにより、簡便に浮力の調整が可能である。
さらに、本体部の道糸との連結側端面をほぼ垂直から傾斜する抵抗面とすることにより、沈め浮として使用するとき風などの影響により道糸が引かれても、水の抵抗により浮は下方に向く力を受けるため、不自然に浮きあがることはない。
また、本体部と当り浮部とを連通する中通し孔を通して、仕掛けを接続することにより、仕掛けを浮を通して沈めることができ、棚下調整や仕掛けの沈む早さなどを調整することができる。
【発明を実施するための最良の形態】
【００１１】
図１は、本発明の多機能浮５の基本的構造を示す３面図である。
全体形状は、平面図（A）に示すように幅の広い本体部（頭部）５５から幅を狭めて延長して細身の当り浮部５６を形成する。
側面図（B）に示すように、全体は上面がほぼそのまま水平とされて、下方から持ち上がった形状であるため水面に浮かせたときに、上面が水面から露出するように形成されている。
本体部前端面５１は、ほぼ垂直、若しくは下方に向けて傾斜して抵抗面Ｆが形成され、本体前面側から当り浮部側に道糸を挿通する貫通孔３１を設ける。
また、本体部下方に錘収容用の凹孔５７を設けて、粒錘、若しくは玉錘などの重さの異なる錘W１、Ｗ２、Ｗ３を必要に応じて選び、浮力を調整するため必要な数量収容する。
５８は凹孔封止栓であって、錘を収容した凹孔を封止する。図１の例では、封止栓はネジ止めとし、端面にコインなどを工具代代わりに使用して廻すことができるように溝を設けて、釣の現場などでの便を図っている。
【００１２】
図２は、錘収容部として凹孔の替わりに本体部底面に凹溝５７１を形成して貫通孔を設けた錘を収容するようにしたもので、凹溝側面に凹溝を渡すワイヤなどのバネ性のある線材を固定し、他端先端のフックを凹溝の反対側に設けた掛止環に掛止して固定する
錘をセットするには、貫通孔を設けた適宜の重さの玉錘Ｗ１、Ｗ２、ｗ３を浮力に合わせて選び、その貫通孔に線材を挿通して、凹溝内に収容する。
凹溝内に収容された錘は、バネ材の弾力により保持されるため、安定した状態に保たれる。
【００１３】
以上の浮の構造は、本体部と当り浮部を一体に形成したもので、本体部は仕掛けの投入に必要な重さを有するが、当り浮部は本体から延長されると共に細く仕上げられているため、仕掛けを接続した先端部に力が加わると僅かな力に対しても本体部に対して大きく動き、本体部が水面上に浮いた状態にあっても当り浮部が浮沈するため、当たりを容易に読み取ることができる。
従来の玉浮や楕円形の浮を立てた状態で使用するものでは、当たりは浮を水面に対してほぼ垂直に浮沈するため、波立つ水面で読みづらく、魚が食い込んで浮きが消し込むまで判らないことが多いが、本発明の浮は上記のように、先ず水面上に水平に露出した浮の当たり浮部が本体部に対して上下に浮沈して変化するため、これらの微妙な当たりを容易に読むことができる。
本発明の浮のこのような働きは、原理的にはウエイトのある本体部から離してモーメントをとって、その先に軽く、敏感に反応した動きをする識別可能な部材を水面上に配置すれば良いので、いわば前記の飛ばし浮と当たり浮とを道糸で連結して一体化し、剛性構造にしたともいえるが、この一体構造によって当たり感度を一層向上すると共に、仕掛け投入時の絡まりをほぼ解消し、また、道糸を浮に対して遊動式に取り付けることが可能となり、棚取りなどの操作が可能となる。
【００１４】
図３（Ａ）、（Ｂ）は、以上の原理から本体部５５と当り浮部５６とを別体として形成し、その間をワイヤなどの連結具６０により連結したもので、本体部に投入操作のため必要なウエイトを持たせ、軽い当り浮部はこの連結部を介して本体部との間を十分なモーメントを有する延長位置に配置することにより、魚が針を咥えて引いても、先ず軽量な当り浮部が引かれるため抵抗が小さく、しかも本体部に対して当り浮部は大きく動いて変化を表すため、当りを容易に読み取ることができる。
連結具は、バネ性のあるステンレスワイヤなどの線材６０で構成し、本体部と当たり浮部にそれぞれ道糸などを通す貫通孔３１１，３１２を設ける。
また、連結具を中空のパイプ構造として、道糸などを中通しにする構造６１としても良い。
沈め浮として使用する場合などの浮力調整は、図３（Ａ）のようにワイヤなどの連結具６０に噛み潰し錘のように割り込みを入れた適宜の重さ、数の錘Ｗを咬ませるか、或いは図（Ｂ）のように、図１，２の実施例と同じく本体部に重心位置に合わせて錘収容部５７を設けることができる。
これらの浮の本体部においても、前面側をほぼ平面又は下方に向けて傾斜した抵抗面Ｆとすることにより、風の抵抗に対して浮が持ち上げられることを防止することができる。
【００１５】
図４は、本発明の多機能浮を浮かせ浮として使用する状態を示す。
浮かせ浮として使用する場合、錘収容凹孔、凹溝に入れる錘の数量を調整して、仕掛けを潮流、風などの状況に合わせた浮き状態となるようにする。
浮の本体部と当たり浮部とにそれぞれ道糸と仕掛けを直結しても良いが、中通しに貫通孔を設けた場合には、本体部から当たり浮部に向けて道糸を通して、その前後に撚り戻し１０などを介して仕掛けを接続することによって、仕掛けを遊動式として棚取りや仕掛けの沈み具合を調整可能とすることができる。
針に餌を付けて仕掛けを投入すると、浮は、上面をほぼ水平に保って水面から露出した状態となる。この状態で、仕掛けが水面下で潮流の影響を受けると、浮は水中にある仕掛けに引かれて当たり浮部がその方向に向き、水面と異なる水中の流れの状態を表す。
また、魚が針を咥えると、当たり浮部は延長されていると共に細く、水の抵抗や浮力が小さいために敏感に反応して、大きく動き、変化を示すので、魚信を確実に捉えることができる。
この場合、道糸を浮に対して遊動式として仕掛けを自由に沈めるようにして、魚が針を咥えて逸走するのにつれて道糸が繰り出されても、浮の感度が良いため、的確に当たりを捉えることができる。
【００１６】
図５は、本発明の多機能浮を沈め浮として使用する場合の風などにより道糸が引かれた状態を示す。
沈め浮として使用する場合、このように風に吹かれて道糸が引かれると、沈め浮は水の抵抗を受けて浮き上がってしまい、風が強い場合など空中にまで上がって沈め浮として機能しないばかりが、せっかくコマセに合わせて沈む仕掛けが引かれて不自然に引き上げられて、釣ができない状態となる。
本発明の多機能浮は、本体部部端面がほぼ垂直から斜めにカットされた傾斜面で構成された抵抗面Ｆを形成しているため、図のように道糸３が風などによりＦ１の力を受けると、本体部端面の傾斜面が水の抵抗により斜め下方に働く力Ｆ２を生じ、このため浮はこれらの力を合わせた力Ｆ０によりその方向に移動し、浮き上がることがない。
この抵抗面は、ほぼ垂直に形成するか、あるいは下方に向け傾斜を与えても良い。
【図面の簡単な説明】
【００１７】
【図１】本発明の多機能浮（実施例１）
【図２】本発明の多機能浮。（実施例２）
【図３】本発明の多機能浮。（実施例３）
【図４】本発明の多機能浮を浮かし浮として使用する例。
【図５】本発明の多機能浮を沈め浮として使用する例。
【図６】従来例：飛ばし浮と当たり浮の組合せ。
【図７】従来例：沈め浮。
【符号の説明】
【００１８】
１      釣り針
１０    撚り戻し
１２    錘
２      ハリス
３      道糸
３１、３１１、３１２  中通し貫通孔
５      飛ばし浮
５１    沈め浮
５２    当たり浮
５０    多機能浮
５５    本体部
５６    当たり浮部
５７    錘収容孔
５７１  錘収容凹溝
５７２  バネ線材
５７３  掛止環
５８    封止栓
６０    バネ線材
６１    中空パイプ
Ｆ      抵抗面
Ｆ０    合成力      
F１      道糸の引く力
F2      水の抵抗による下向力
H  水面
W、W1、W2,W3  錘
【図１】
2009065929.tif 000003
【図２】
2009065929.tif 000004
【図３】
2009065929.tif 000005
【図４】
2009065929.tif 000006
【図５】
2009065929.tif 000007
【図６】
2009065929.tif 000008
【図７】
2009065929.tif 000009